(57)【要約】      （修正有）【課題】普通免許で運転出来、可搬式の小型動力ポンプや吸水管等を積載しても、消防活動に必要な資機材を入れて収納するスペースが確保出来る可搬消防ポンプ積載車を提供する。【解決手段】可搬消防ポンプ積載車は、車両１の荷台床面１１の上方に固着した固定台２と、固定台２の上方に配置すると共に可搬式の小型動力ポンプ７を積載するためのポンプ載せ台３と、荷台床面１１と固定台２の間に配置した出し入れ自在な小物収納箱５と、荷台床面１１から天井１２に渡って設けた出し入れ自在な吸水管収納箱６と、から少なくとも構成する。またポンプ載せ台３に、ハンドル３１と車輪３２を取付けて搬送可能な構造となし、又、固定台２とポンプ載せ台３の間にスライド部材４を設け、更に小物収納箱５と吸水管収納箱６を、引出し式の箱状に形成する。【選択図】図１
0003234575.tif 000002
【実用新案登録請求の範囲】
【請求項１】
車両（１）の荷台床面（11）の上方に固着した固定台（２）と、該固定台（２）の上方に配置すると共に可搬式の小型動力ポンプ（７）を積載するためのポンプ載せ台（３）と、前記荷台床面（11）と前記固定台（２）の間に配置した出し入れ自在な小物収納箱（５）と、前記荷台床面（11）から天井（12）に渡って設けた出し入れ自在な吸水管収納箱（６）と、から少なくとも構成したことを特徴とする可搬消防ポンプ積載車。
【請求項２】
前記ポンプ載せ台（３）に、ハンドル（31）と車輪（32）を取付けて搬送可能な構造とした請求項１記載の可搬消防ポンプ積載車。
【請求項３】
前記固定台（２）と前記ポンプ載せ台（３）の間にスライド部材（４）を設けた請求項１記載の可搬消防ポンプ積載車。
【請求項４】
前記小物収納箱（５）と前記吸水管収納箱（６）が、引出し式の箱状に形成された請求項１記載の可搬消防ポンプ積載車。
【考案の詳細な説明】
【技術分野】
【０００１】
本考案は可搬式の小型動力ポンプを積載する可搬消防ポンプ積載車に関し、特には普通免許で運転出来る可搬消防ポンプ積載車に関する。
【背景技術】
【０００２】
一般的な可搬消防ポンプ積載車はトラックがベースであり、この車両の殆どは、３．５トン未満で艤装出来るものであったが、製造中止となった。このため、前記トラックに代わるワンボックスタイプの車両やワゴン車などが注目されている。このタイプの車両は吸水管をそのまま床面に積載し放しのもの、車両内に固定し或いはポンプ積載台車に収納して使用するものなどがあった。
【０００３】
しかしながら、ワンボックスタイプの車両やワゴン車などは室内収納となるため、収納出来るスペースが限られてしまう。従って、可搬式の小型動力ポンプや吸水管等を積載すると、消防活動に必要な資機材を入れて収納するスペースを確保することが極めて難しく、空いているスペースに無理やり押し込んでいるのが現状である。
このため、普通免許で運転出来る可搬消防ポンプ積載車であっても、消防活動に必要な資機材をまとめて収納するスペースが確保出来る可搬消防ポンプ積載車の開発が要望されていた。
【０００４】
尚、本考案と目的が異なる消防用車両としては、特開平９−１５４９７５号がある。この目的は消防機材の盗難を防止すると共に消防機材を迅速容易に取出すことが出来るように格納可能にしたものである。また特開平９−１５４９７５号の構造は、荷台の上に、左右両側部及び後部の３面の略全面にブロック可能で開閉自在なシャッターをそれぞれ装備した格納室を設け、そこに吸水管や可搬式の小型動力ポンプが積載出来るポンプ載せ台を装備したものである。又、特開平９−１５４９７５号は、本考案のようなワンボックスタイプの車両やワゴン車ではない。
【先行技術文献】
【特許文献】
【０００５】
【特許文献１】特開平９−１５４９７５号公報
【考案の概要】
【考案が解決しようとする課題】
【０００６】
本考案は普通免許で運転でき、且つ、可搬式の小型消防ポンプや吸水管等を積載しても、消防活動に必要な資機材を入れて収納するスペースが確保出来る可搬消防ポンプ積載車を提供することを目的とする。
【課題を解決するための手段】
【０００７】
本考案は上記要望に応えるために成されたものであり、つまり、車両の荷台床面の上方に固着した固定台と、該固定台の上方に配置すると共に可搬式の小型動力ポンプを積載するためのポンプ載せ台と、前記荷台床面と固定台の間に配置した出し入れ自在な小物収納箱と、前記荷台床面から天井に渡って設けた出し入れ自在な吸水管収納箱と、から少なくとも構成する。また前記ポンプ載せ台に、ハンドルと車輪を取付けて搬送可能な構造となし、又、前記固定台とポンプ載せ台の間にスライド部材を設けると良く、更に前記小物収納箱と吸水管収納箱を、引出し式の箱状に形成するのが好ましい。
【考案の効果】
【０００８】
請求項１のように車両（１）の荷台床面（11）の上方に固着した固定台（２）と、該固定台（２）の上方に配置すると共に可搬式の小型動力ポンプ（７）を積載するためのポンプ載せ台（３）と、荷台床面（11）と固定台（２）の間に配置した出し入れ自在な小物収納箱（５）と、荷台床面（11）から天井（12）に渡って設けた出し入れ自在な吸水管収納箱（６）と、から少なくとも構成することにより、可搬消防ポンプ積載車であっても、可搬式の小型動力ポンプ（７）はポンプ載せ台（３）に積載し、吸水管（８）は吸水管収納箱（６）に略円形状などに旋回して収納でき、更に消防活動に必要な小物資機材は小物収納箱（５）に入れて収納することが出来るものとなる。このため、車両（１）の荷台内部が整理され、小物資機材の取出しがスムーズに行える。
【０００９】
請求項２のようにポンプ載せ台（３）に、ハンドル（31）と車輪（32）を取付けて搬送可能な構造とすることにより、ポンプ載せ台（３）に可搬式の小型動力ポンプ（７）を積載しておけば、小型動力ポンプ（７）を容易に車内から運び出して、水源まで素早く搬送出来るものとなる。
【００１０】
請求項３に示すように固定台（２）とポンプ載せ台（３）の間にスライド部材（８）を設けることにより、可搬式の小型動力ポンプ（７）が積載されたポンプ載せ台（３）を車内から素早く且つ容易に取出すことが出来る。
【００１１】
請求項４に示すように小物収納箱（５）と吸水管収納箱（６）を、引出し式の箱状に形成させることにより、嵩張らずにスッキリと吸水管（８）や消防活動に必要な小物資機材が収納でき且つ取出しも容易になるため、装備品の収納スペースの有効利用が可能となる。しかも吸水管（８）の迅速な取出しができ、火災時に直ぐ可搬式の小型動力ポンプに接続出来ると共に操作性が良好となる。
【図面の簡単な説明】
【００１２】
【図１】本考案の実施形態を示す説明図である。
【図２】本実施形態の吸水管収納箱が開かれた使用状態を示す説明図である。
【考案を実施するための形態】
【００１３】
本考案の実施形態を図面に基づいて説明する。（１）は普通免許で運転出来る車両であり、該車両（１）としては、ワンボックスタイプの車両やワゴン車などの箱型普通車を用い、例えば、市販されている日産キャラバン、トヨタハイエースなどを用いるのが好ましいが、これに限定されるものではない。又、（11）は荷台床面で、（12）は天井であり、（13）は後扉である。
【００１４】
（２）は荷台床面（11）の上方に設けられた固定台である。（３）は固定台（２）の上方に固着したポンプ載せ台であり、該ポンプ載せ台（３）には可搬式の小型動力ポンプ（７）が積載される。また前記ポンプ載せ台（３）にハンドル（31）と車輪（32）を取付けて搬送可能としておくと良い。前記車輪（32）としてはゴムタイヤのものが好ましいが、スペースの都合でキャスターなどを使用しても良い。尚、可搬式の小型動力ポンプ（７）を積載したポンプ載せ台（３）を、荷台床面（11）から地面に移動させて容易に取出すことが出来る図示しないリフトやポンプ昇降装置などを装備すると良い。
【００１５】
（４）は固定台（２）とポンプ載せ台（３）の間に設けたスライド部材であり、該スライド部材（４）には、固定台（２）に固着した固定レール（41）と、その上をスライドするスライドテーブル（42）とがある。このスライド部材（４）は消防車で利用している同一の構造のものを用い、公知なものであるので、これ以上の詳細な説明は省略する。
【００１６】
（５）は小物収納箱であり、該小物収納箱（５）は固定台（２）と荷台床面（11）の間に配置した出し入れ自在な引出し式の箱体であり、該箱体は上方が開口されている。この小物収納箱（５）は、消防活動に必要な小物資機材を内部に入れて収納するためのものである。
【００１７】
（６）は吸水管収納箱であり、該吸水管収納箱（６）は車両（１）の荷台床面（11）から天井に渡って設けた出し入れ自在な引出し式の箱体であり、吸水管（８）は図２に示すようにして収納する。前記吸水管収納箱（６）は四角形状の枠体の底板（図２に於いては左側面）として、金網や多数のスリットを穿設した金属板を用いると、軽量化が図れる。この時、図１、図２に示すように補強材（61）を適宜に取付けておくのが好ましい。
尚、前記吸水管収納箱（６）は荷台の右側壁側に設けられているが、左側壁側或いは両側壁側に設けても良い。
【００１８】
（７）はエンジン等を装備した可搬式の小型動力ポンプであり、（８）は吸水管であり、該吸水管（８）は小型動力ポンプ（７）に水を吸水するためのゴム製管ホースである。この吸水管（８）は吸水管収納箱（６）に略楕円形状又は略円形状に旋回して収納される。
【００１９】
次に本考案の使用方法について説明する。先ず始めに小物収納箱（５）を引出し、この内部に消防活動に必要な小物資機材を入れて収納する。その後、この小物収納箱（５）を前方へ押して、固定台（２）と荷台床面（11）の間に収納する。次に吸水管収納箱（６）を引出し、この内部には吸水管（８）が留め金を介して収納されると共に、ノズル等も所定の位置に設置する。そして、前記吸水管収納箱（６）を前方へ押すと、吸水管（８）やその付属品等が車両（１）の荷台の側壁に収納される。
【００２０】
その後、小型動力ポンプ（７）をポンプ載せ台（３）に積載し、後扉（13）を閉じれば、出動準備は完了する。尚、前記小型動力ポンプ（７）をポンプ載せ台（３）に積載するタイミングは、小物資機材や吸水管（８）を収納する前に行っても良い。
【００２１】
このように本考案は、箱型普通車を改造すれば、吸水管（８）やその付属品等は車両（１）の荷台の側壁に貼り付くような状態で場所を取らずに収納出来る。又、小物資機材は固定台（２）の下方に収納出来る。このため、小型動力ポンプ（７）の出し入れがスムーズに行えるものとなった。
【００２２】
次に消防活動を行う場合は、火災現場に到着した後、直ぐに後扉（13）を開き、小型動力ポンプ（７）を積載したポンプ載せ台（３）を車外に取出す。この時、スライド部材（４）が設けられていると、前記ポンプ載せ台（３）は固定レール（41）の上をスライドして移動が容易なるので、車両（１）の後端部までスムーズな移動が可能となる。
【００２３】
また小型動力ポンプ（７）を積載したポンプ載せ台（３）がリフトやポンプ昇降装置などを利用して地面に降ろされるのが好ましいが、人力で降ろしても良い。
その後、吸水管収納箱（６）を引出して吸水管（８）やその付属品等を取出す。そして、従来通りの消火活動を行なえば良い。
【符号の説明】
【００２４】
１  車両
11  荷台床面
12  天井
２  固定台
３  ポンプ載せ台
31  ハンドル
32  車輪
４  スライド部材
５  小物収納箱
６  吸水管収納箱
７  小型動力ポンプ
【図１】
0003234575.tif 000003
【図２】
0003234575.tif 000004